(57)【要約】【課題】コイルの配置の自由度が増した電子装置および信号切換装置を提供する。【解決手段】電子装置は、回路基板６２と、回路基板６２上に搭載される複数のコイル６４，６６，６８と、複数のコイル６４，６６，６８の少なくともいずれか１つのコイルの巻線７４表面と他のコイルとの間に配置されたノイズ抑制シート７６とを備える。コイル６４は、コア７２と、コア７２に巻回された巻線７４とを含む。好ましくは、複数のコイル６４，６６，６８は、回路基板６２上に一列に配置され、ノイズ抑制シート７６は、複数のコイル６４，６６，６８の各巻線表面に装着される。【選択図】図２
2008066392.tif 000002
【特許請求の範囲】
【請求項１】
回路基板と、
前記回路基板上に搭載される複数のコイルと、
前記複数のコイルの少なくともいずれか１つのコイルの巻線表面と他のコイルとの間に配置されたノイズ抑制シートとを備える、電子装置。
【請求項２】
前記複数のコイルは、前記回路基板上に一列に配置され、
前記ノイズ抑制シートは、前記複数のコイルの各巻線表面に装着される、請求項１に記載の電子装置。
【請求項３】
前記複数のコイルのうちの第１、第２のコイルは、互いに隣接して配置され、
前記ノイズ抑制シートは、前記第１、第２のコイルのいずれか１方に対してのみコイルの巻線表面に装着される、請求項１に記載の電子装置。
【請求項４】
前記複数のコイル間を仕切るように配置された金属壁をさらに備え、
前記ノイズ抑制シートは、前記金属壁に貼付される、請求項１に記載の電子装置。
【請求項５】
前記複数のコイルの少なくとも１つを覆う金属箱をさらに備え、
前記ノイズ抑制シートは、前記金属箱の壁面に貼付される、請求項１に記載の電子装置。
【請求項６】
前記複数のコイルのうちの第１、第２のコイルは、互いに隣接して配置され、
前記ノイズ抑制シートは、前記第１のコイルの巻線表面全体のうち前記第２のコイルに隣接する側の一部分に装着される、請求項１に記載の電子装置。
【請求項７】
前記第２のコイルの巻線表面全体のうち前記第１のコイルに隣接する側の一部分に装着される他のノイズ抑制シートをさらに備える、請求項６に記載の電子装置。
【請求項８】
前記ノイズ抑制シートは、前記複数のコイルのうちの第１のコイルの巻線表面に装着され、
前記第１のコイルを前記ノイズ抑制シートごと被覆する熱収縮チューブをさらに備える、請求項１に記載の電子装置。
【請求項９】
前記複数のコイルのうちの第１、第２のコイルは、互いに隣接して配置され、
前記ノイズ抑制シートは、前記第１のコイルの巻線表面全体のうち前記第２のコイルに隣接する側の一部分に装着され、
前記第１のコイルを前記ノイズ抑制シートごと被覆する熱収縮チューブをさらに備える、請求項１に記載の電子装置。
【請求項１０】
金属壁をさらに備え、
前記ノイズ抑制シートは、前記複数のコイルの少なくともいずれか１つのコイルの巻線表面と他のコイルとの間に配置され、かつ前記１つのコイルと前記金属壁との間にも配置され、前記１つのコイルのインピーダンスの低下を防止する、請求項１に記載の電子装置。
【請求項１１】
前記複数のコイルのうちの第１、第２のコイルは、互いに隣接して配置され、
前記第１のコイルの前記第２のコイルに対向しない側に近接して配置される金属壁をさらに備え、
前記ノイズ抑制シートは、前記第１コイルの巻線表面の前記金属壁に対向する側の一部分に装着され、前記第１のコイルのインピーダンスの低下を防止する、請求項１に記載の電子装置。
【請求項１２】
前記複数のコイルは、コアの軸が前記回路基板上に縦置きに配置される、請求項１に記載の電子装置。
【請求項１３】
前記複数のコイルは、コアの軸が前記回路基板上に横置きに配置される、請求項１に記載の電子装置。
【請求項１４】
請求項１〜１３のいずれか１項に記載の電子装置を含む信号切換装置。
【発明の詳細な説明】
【技術分野】
【０００１】
この発明は、電子装置および信号切換装置に関し、特に回路基板に実装されたコイルを含む電子装置および信号切換装置に関する。
【背景技術】
【０００２】
電子・電気機器において、電磁波ノイズの低減のために用いられるノイズ抑制シートが知られている。特開２００３−２８３１８１号公報（特許文献１）は、このようなノイズ抑制シートの一例を開示する。
【特許文献１】特開２００３−２８３１８１号公報
【特許文献２】特開平１１−２９８１８７号公報
【発明の開示】
【発明が解決しようとする課題】
【０００３】
衛星受信切換装置における多入出部分には、高周波信号と装置を制御する信号とが重畳されている。それを分離するために衛星受信切換装置はＬＣフィルタを内蔵している。しかし、制御信号の周波数が低くかつ数百ミリアンペア以上の電流をフィルタに流さなければならないため、Ｌ（コイル）が重く大きくなる。
【０００４】
また、多入出力での場合は、Ｌ（コイル）の個数も比例的に増え、基板に対するコイルの占有率が大きくなる。そして、隣接するコイルの間隔が狭くなると、コイル間で磁束の結合が起こり所望の制御信号で高インピーダンスを得ることができなくなる。
【０００５】
図１４は、回路基板上に複数のコイルが配置されている構造の検討例を示す図である。
図１４を参照して、この電子装置は、基板１５６２と、基板上に並んで配置されるコイル１５６４，１５６６，１５６８とを含む。
【０００６】
コイル１５６４は、コア１５７２と、コア１５７２に巻回されたコイル線材１５７４とを含む。コイル線材１５７４は、直流の通過損失を低減させるため線径が太いものが使用される。コイル線材１５７４の両端は、基板１５６２に挿入されている。
【０００７】
図１５は、図１４に示した検討例のコイル電磁結合の影響をうけたコイルのインピーダンス特性を示す図である。
【０００８】
図１４に示す配置では、隣接するコイル同士の電磁結合が起こりコイルの干渉が発生する結果、図１５に示すように所望の信号周波数において高いインピーダンスが得られないという問題が生じる。したがって従来は、コイル間距離を一定値以上に離す構造が多用されている。
【０００９】
また、このような装置において、コイルを取り囲む筐体は、主に金属で覆われている。この金属部分にコイルが接近するとコイルのＱが低下する問題がある。たとえば、隣接する２つのコイルを１ｍｍ程度の間隔で配置したり、コイルから１ｍｍ程度の距離に金属板を配置したりするとＬ値（インダクタンス値）は１０％程度変化する。したがって、従来は、コイルの配置間隔を１０ｍｍ程度まで離したり、金属の近くにコイルを配置しないようにしたりするといった考慮が必要であった。しかし、回路基板の小型化の要求に応えるためには、コイル間距離を一定値以上に離すといった対策には限界がある。したがって、コイル間距離を近接させて配置してもコイル同士電磁結合が起こらないようにする対策を行なう必要がある。また基板の小型化を進める上でコイルを取り囲む筐体との隙間が狭くなり、コイルに金属が接近するという問題もある。
【００１０】
この発明の目的は、コイルの配置の自由度が増した電子装置および信号切換装置を提供することである。
【課題を解決するための手段】
【００１１】
この発明は、要約すると、電子装置であって、回路基板と、回路基板上に搭載される複数のコイルと、複数のコイルの少なくともいずれか１つのコイルの巻線表面と他のコイルとの間に配置されたノイズ抑制シートとを備える。
【００１２】
好ましくは、複数のコイルは、回路基板上に一列に配置され、ノイズ抑制シートは、複数のコイルの各巻線表面に装着される。
【００１３】
好ましくは、複数のコイルのうちの第１、第２のコイルは、互いに隣接して配置され、ノイズ抑制シートは、第１、第２のコイルのいずれか１方に対してのみコイルの巻線表面に装着される。
【００１４】
好ましくは、電子装置は、複数のコイル間を仕切るように配置された金属壁をさらに備え、ノイズ抑制シートは、金属壁に貼付される。
【００１５】
好ましくは、電子装置は、複数のコイルの少なくとも１つを覆う金属箱をさらに備え、ノイズ抑制シートは、金属箱の壁面に貼付される。
【００１６】
好ましくは、複数のコイルのうちの第１、第２のコイルは、互いに隣接して配置され、ノイズ抑制シートは、第１のコイルの巻線表面全体のうち第２のコイルに隣接する側の一部分に装着される。
【００１７】
より好ましくは、電子装置は、第２のコイルの巻線表面全体のうち第１のコイルに隣接する側の一部分に装着される他のノイズ抑制シートをさらに備える。
【００１８】
好ましくは、ノイズ抑制シートは、複数のコイルのうちの第１のコイルの巻線表面に装着され、電子装置は、第１のコイルをノイズ抑制シートごと被覆する熱収縮チューブをさらに備える。
【００１９】
好ましくは、複数のコイルのうちの第１、第２のコイルは、互いに隣接して配置される。ノイズ抑制シートは、第１のコイルの巻線表面全体のうち第２のコイルに隣接する側の一部分に装着される。電子装置は、第１のコイルをノイズ抑制シートごと被覆する熱収縮チューブをさらに備える。
【００２０】
好ましくは、電子装置は、金属壁をさらに備える。ノイズ抑制シートは、複数のコイルの少なくともいずれか１つのコイルの巻線表面と他のコイルとの間に配置され、かつその１つのコイルと金属壁との間にも配置され、その１つのコイルのインピーダンスの低下を防止する。
【００２１】
好ましくは、複数のコイルのうちの第１、第２のコイルは、互いに隣接して配置される。電子装置は、第１のコイルの第２のコイルに対向しない側に近接して配置される金属壁をさらに備える。ノイズ抑制シートは、第１コイルの巻線表面の金属壁に対向する側の一部分に装着され、第１のコイルのインピーダンスの低下を防止する。
【００２２】
好ましくは、複数のコイルは、コアの軸が回路基板上に縦置きに配置される。
好ましくは、複数のコイルは、コアの軸が回路基板上に横置きに配置される。
【００２３】
この発明は、他の局面に従うと、上記いずれかの電子装置を含む信号切換装置である。
【発明の効果】
【００２４】
本発明によれば、コイルの配置の自由度が増し、電子装置および信号切換装置の設計が容易となる。これにより、たとえば小型化された電子装置および信号切換装置を実現することができる。
【発明を実施するための最良の形態】
【００２５】
以下、本発明の実施の形態について図面を参照しながら詳細に説明する。なお、図中同一または相当部分には同一符号を付してその説明は繰返さない。
【００２６】
［実施の形態１］
図１は、実施の形態１に係る電子装置の構成を示すブロック図である。図１には、電子装置の一例として衛星放送用の信号切換装置が示されている。
【００２７】
図１を参照して、この電子装置１は、３つのＬＮＢ（Low Noise Block down converter）からの放送信号を受けるポートＰＬＮＢ１〜ＰＬＮＢ３と、ポートＰＬＮＢ１に一方端が接続されるコイル２と、コイル２の他方端にその一方端が接続されるキャパシタ４と、キャパシタ４の他方端に入力が接続される増幅器６と、増幅器６の出力に一方端が接続されるキャパシタ８とを含む。
【００２８】
電子装置１は、さらに、ポートＰＬＮＢ２に一方端が接続されるコイル１２と、コイル１２の他方端にその一方端が接続されるキャパシタ１４と、キャパシタ１４の他方端に入力が接続される増幅器１６と、増幅器１６の出力に一方端が接続されるキャパシタ１８とを含む。
【００２９】
電子装置１は、さらに、ポートＰＬＮＢ３に一方端が接続されるコイル２２と、コイル２２の他方端にその一方端が接続されるキャパシタ２４と、キャパシタ２４の他方端に入力が接続される増幅器２６と、増幅器２６の出力に一方端が接続されるキャパシタ２８とを含む。
【００３０】
電子装置１は、さらに、キャパシタ８，１８，２８の各他方端から増幅された放送信号を３つの入力に受ける３入力４出力のスイッチマトリクスＩＣ３０を含む。
【００３１】
電子装置１は、さらに、スイッチマトリクスＩＣ３０の第１の出力に一方端が接続されるキャパシタ３４と、キャパシタ３４の他方端にその一方端が接続されるコイル３２と、コイル３２の他方端に接続され図示しない第１の受信装置に放送信号を送出するポートＰＲ１とを含む。
【００３２】
電子装置１は、さらに、スイッチマトリクスＩＣ３０の第２の出力に一方端が接続されるキャパシタ３８と、キャパシタ３８の他方端にその一方端が接続されるコイル３６と、コイル３６の他方端に接続され図示しない第２の受信装置に放送信号を送出するポートＰＲ２とを含む。
【００３３】
電子装置１は、さらに、スイッチマトリクスＩＣ３０の第３の出力に一方端が接続されるキャパシタ４４と、キャパシタ４４の他方端にその一方端が接続されるコイル４２と、コイル４２の他方端に接続され図示しない第３の受信装置に放送信号を送出するポートＰＲ３とを含む。
【００３４】
電子装置１は、さらに、スイッチマトリクスＩＣ３０の第４の出力に一方端が接続されるキャパシタ４８と、キャパシタ４８の他方端にその一方端が接続されるコイル４６と、コイル４６の他方端に接続され図示しない第４の受信装置に放送信号を送出するポートＰＲ４とを含む。
【００３５】
電子装置１は、さらに電源ユニット５０と、制御ユニット５２と、制御信号検出部５４とを含む。
【００３６】
電源ユニット５０は、ポートＰＲ１〜ＰＲ４のいずれかに受信装置から与えられる直流電圧を受けてアンプ６，１６，２６および制御ユニット５２に電源電圧を供給する。
【００３７】
制御信号検出部５４は、ポートＰＲ１またはＰＲ２から与えられる制御信号を検出して制御ユニット５２に送出する。なお、図示しないが、制御信号検出部５４は、さらに、ポートＰＲ３またはＰＲ４から与えられる制御信号を検出して制御ユニット５２に送出するようにしても良い。
【００３８】
制御ユニット５２は、制御信号検出部５４の出力に応じてスイッチマトリクスＩＣ３０の切換制御を行なう。
【００３９】
図１に示した電子装置のコイル２，１２，２２，３２，３６，４２，４６の特性を改善するために、以下の実施の形態に示すようにノイズ抑制シートが用いられる。
【００４０】
図２は、実施の形態１の電子装置におけるコイルに対するノイズ抑制シートの配置を示す図である。
【００４１】
図２を参照して、この電子装置は、回路基板６２と、回路基板６２上に搭載される複数のコイル６４，６６，６８と、複数のコイル６４，６６，６８の少なくともいずれか１つのコイルの巻線７４表面と他のコイルとの間に配置されたノイズ抑制シート７６とを備える。
【００４２】
コイル６４は、コア７２と、コア７２に巻回された巻線７４とを含む。
好ましくは、複数のコイル６４，６６，６８は、回路基板６２上に一列に配置され、ノイズ抑制シート７６は、複数のコイル６４，６６，６８の各巻線表面に装着される。
【００４３】
なお、図２には、３個のコイルを配置した例を示したが、コイルの個数は３個に限定されず、２個であっても、また３個より多くても良い。
【００４４】
図３は、ノイズ抑制シートにより、コイルの電磁結合の影響を抑えたインピーダンス特性を示す図である。
【００４５】
図１５に示した特性は、ノイズ抑制シートを装着することにより図３に示すように改善される。これにより、所望の信号周波数ｆ１における信号の干渉を防ぐことができる。所望の信号周波数は、たとえば、２２ＫＨｚ程度である。
【００４６】
ノイズ抑制シートは、このような信号干渉を防止するために、たとえば、１ＧＨｚ以下の低周波で減衰量が約１０ｄＢ以上のものであることが好ましい。
【００４７】
このように、実施の形態１によれば、コイルのインピーダンス特性が良好になる結果、コイル間の距離が狭くなった場合においても電子機器における信号干渉が防止される。したがって、機器の小型化に有利である。
【００４８】
［実施の形態２］
図４は、実施の形態２の電子装置におけるコイルに対するノイズ抑制シートの配置を示す図である。
【００４９】
図４を参照して、この電子装置は、回路基板１６２と、回路基板１６２上に搭載される複数のコイル１６４，１６６，１６８と、複数のコイル１６４，１６６，１６８の少なくともいずれか１つのコイルの巻線１７４表面と他のコイルとの間に配置されたノイズ抑制シート１７６とを備える。
【００５０】
コイル１６４は、コア１７２と、コア１７２に巻回された巻線１７４とを含む。
好ましくは、複数のコイル１６４，１６６，１６８のうちの第１、第２のコイル１６４，１６６は、互いに隣接して配置され、ノイズ抑制シートは、第１のコイル１６４に対してコイルの巻線表面に装着され、第２のコイル１６６には装着されない。
【００５１】
したがって、高価なノイズ抑制シートの使用量を抑えつつ、実施の形態１と同様な高価を得ることができる。
【００５２】
［実施の形態３］
図５は、実施の形態３の電子装置におけるコイルに対するノイズ抑制シートの配置を示す図である。
【００５３】
図５を参照して、この電子装置は、回路基板２６２と、回路基板２６２上に搭載される複数のコイル２６４，２６６と、複数のコイル２６４，２６６の少なくともいずれか１つのコイルの巻線２７４表面と他のコイルとの間に配置されたノイズ抑制シート２８２，２８４とを備える。
【００５４】
コイル２６４は、コア２７２と、コア２７２に巻回された巻線２７４とを含む。
好ましくは、電子装置は、複数のコイル２６４，２６６間を仕切るように配置された金属壁２８０をさらに備え、ノイズ抑制シート２８２，２８４は、金属壁２８０に貼付される。
【００５５】
このように、コイルに直接ノイズ抑制シートを装着しなくても、実施の形態１と同様な効果を得ることができる。また、ノイズ抑制シートを金属壁とコイルとの間に介在させることで、コイルに金属壁が近接した場合のコイルのＱ値（quality factor）の低下を防止することができる。
【００５６】
［実施の形態４］
図６は、実施の形態４の電子装置におけるコイルに対するノイズ抑制シートの配置を示す図である。
【００５７】
図６を参照して、この電子装置は、回路基板３６２と、回路基板３６２上に搭載される複数のコイル３６４，３６６と、複数のコイル３６４，３６６の少なくともいずれか１つのコイルの巻線表面と他のコイルとの間に配置されたノイズ抑制シート３８３，３９１とを備える。
【００５８】
好ましくは、電子装置は、複数のコイル３６４，３６６の少なくとも１つを覆う金属箱３８０と、他方のコイルを覆う金属箱３９０とをさらに備える。ノイズ抑制シート３８１〜３８４は、金属箱３８０の壁面に貼付される。ノイズ抑制シート３９１〜３９４は、金属箱３９０の壁面に貼付される。
【００５９】
このように、コイルに直接ノイズ抑制シートを装着しなくても、実施の形態１と同様な効果を得ることができる。また、ノイズ抑制シートを金属壁とコイルとの間に介在させることで、コイルに金属壁が近接した場合のコイルのＱ値（quality factor）の低下を防止することができる。さらに、コイルの周囲と上方を金属で覆うことで、信号干渉を図５に示した場合に比べて一層減らすことができる。
【００６０】
［実施の形態５］
図７は、実施の形態５の電子装置におけるコイルに対するノイズ抑制シートの配置を示す図である。
【００６１】
図７を参照して、この電子装置は、回路基板４６２と、回路基板４６２上に搭載される複数のコイル４６４，４６６と、複数のコイル４６４，４６６の少なくともいずれか１つのコイルの巻線表面と他のコイルとの間に配置されたノイズ抑制シート４７６とを備える。
【００６２】
コイル４６４は、コア４７２と、コア４７２に巻回された巻線４７４とを含む。コイル４６６は、コア４８２と、コア４８２に巻回された巻線４８４とを含む。
【００６３】
好ましくは、複数のコイルのうちの第１、第２のコイル４６４，４６６は、互いに隣接して配置され、ノイズ抑制シート４７６は、第１のコイル４６４の巻線４７４表面全体のうち第２のコイル４６６に隣接する側の一部分に装着される。
【００６４】
電子装置は、さらに、第２のコイル４６６の巻線４８４表面全体のうち第１のコイル４６４に隣接する側の一部分に装着される他のノイズ抑制シート４８６を備える。
【００６５】
このようにすることにより、高価なノイズ抑制シートの使用量を抑えつつ、実施の形態１と同様な効果を得ることができる。
【００６６】
［実施の形態６］
図８は、実施の形態６の電子装置におけるコイルに対するノイズ抑制シートの配置を示す図である。
【００６７】
図８を参照して、この電子装置は、回路基板５６２と、回路基板５６２上に搭載される複数のコイル５６４，５６６と、複数のコイル５６４，５６６のいずれか１つのコイル５６６の巻線５８４表面と他のコイル５６４との間に配置されたノイズ抑制シート５８６とを備える。
【００６８】
コイル５６４は、コア５７２と、コア５７２に巻回された巻線５７４とを含む。コイル５６６は、コア５８２と、コア５８２に巻回された巻線５８４とを含む。
【００６９】
好ましくは、複数のコイルのうちのコイル５６４，５６６は、互いに隣接して配置され、ノイズ抑制シート５８６は、コイル５６６の巻線５８４表面全体のうちコイル５６４に隣接する側の一部分に装着される。
【００７０】
このようにすることにより、高価なノイズ抑制シートの使用量を実施の形態５よりもさらに抑えつつ、実施の形態１と同様な効果を得ることができる。
【００７１】
［実施の形態７］
図９は、実施の形態７の電子装置におけるコイルに対するノイズ抑制シートの配置を示す図である。
【００７２】
図９を参照して、この電子装置は、回路基板６６２と、回路基板６６２上に搭載される複数のコイル６６４，６６６と、複数のコイル６６４，６６６の少なくともいずれか１つのコイル６６４の巻線６７４表面と他のコイル６６６との間に配置されたノイズ抑制シート６７６とを備える。
【００７３】
コイル６６４は、コア６７２と、コア６７２に巻回された巻線６７４とを含む。コイル６６６は、コア６８２と、コア６８２に巻回された巻線６８４とを含む。
【００７４】
好ましくは、複数のコイル６６４，６６６は、回路基板６６２上に一列に配置され、ノイズ抑制シート６７６はコイル６６４の巻線表面に装着され、ノイズ抑制シート６８６はコイル６６６の巻線表面に装着される。
【００７５】
好ましくは、電子装置は、コイル６６４をノイズ抑制シート６７６ごと被覆する熱収縮チューブ６７８と、コイル６６６をノイズ抑制シート６８６ごと被覆する熱収縮チューブ６８８とをさらに備える。
【００７６】
熱収縮チューブ６７８は、ノイズ抑制シート６７６を装着したコイル６６４に被せられたあと、熱風を当てることにより収縮させられる。熱収縮チューブ６８８は、ノイズ抑制シート６８６を装着したコイル６６６に被せられたあと、熱風を当てることにより収縮させられる。
【００７７】
このように熱収縮チューブでノイズ抑制シートを固定することにより、ノイズ抑制シートの接着が経時変化等により剥離してしまうのを防止することができる。
【００７８】
また、ノイズ抑制シートの固定は熱収縮チューブによって行なわれるので、ノイズ抑制シートの接着は、仮止め程度でよく、弱い接着剤を少量使用するだけでよくなり、接着の作業性も向上する。
【００７９】
なお、図９には、２個のコイルを配置した例を示したが、コイルの個数は２個に限定されず、３個より多くても良い。
【００８０】
［実施の形態８］
図１０は、実施の形態８の電子装置におけるコイルに対するノイズ抑制シートの配置を示す図である。
【００８１】
図１０を参照して、この電子装置は、回路基板７６２と、回路基板７６２上に搭載される複数のコイル７６４，７６６と、コイル７６４の巻線７７４表面と他のコイル７６６との間に配置されたノイズ抑制シート７７６とを備える。また、電子装置は、コイル７６６の巻線７８４表面と他のコイル７６４との間に配置されたノイズ抑制シート７８６をさらに備える。
【００８２】
コイル７６４は、コア７７２と、コア７７２に巻回された巻線７７４とを含む。コイル７６６は、コア７８２と、コア７８２に巻回された巻線７８４とを含む。
【００８３】
コイル７６４，７６６は、互いに隣接して配置される。ノイズ抑制シート７７６は、コイル７６４の巻線表面全体のうちコイル７６６に隣接する側の一部分に装着される。電子装置は、コイル７６４をノイズ抑制シート７７６ごと被覆する熱収縮チューブ７７８をさらに備える。
【００８４】
ノイズ抑制シート７８６は、コイル７６６の巻線表面全体のうちコイル７６４に隣接する側の一部分に装着される。電子装置は、コイル７６６をノイズ抑制シート７８６ごと被覆する熱収縮チューブ７８８をさらに備える。熱収縮チューブ７７８は、ノイズ抑制シート７７６を装着したコイル７６４に被せられたあと、熱風を当てることにより収縮させられる。熱収縮チューブ７８８は、ノイズ抑制シート７８６を装着したコイル７６６に被せられたあと、熱風を当てることにより収縮させられる。
【００８５】
このように、コイル特性変化の防止に有効な部分のみにノイズ抑制シートを配置することで、高価なノイズ抑制シートを実施の形態７よりもさらに節約することができ製品コストが低減される。
【００８６】
また、部分的にノイズ抑制シートを貼り付けるようにすると実施の形態７よりもさらに剥離しやすくなるが、このように熱収縮チューブでノイズ抑制シートを固定することにより、ノイズ抑制シートの接着が経時変化等により剥離してしまうのを防止することができる。
【００８７】
また、ノイズ抑制シートの固定は熱収縮チューブによって行なわれるので、ノイズ抑制シートの接着は、仮止め程度でよく、弱い接着剤を少量使用するだけでよくなり、接着の作業性も向上する。
【００８８】
［実施の形態９］
図１１は、実施の形態９の電子装置におけるコイルに対するノイズ抑制シートの配置を示す図である。
【００８９】
図１１を参照して、この電子装置は、回路基板８６２と、回路基板８６２上に搭載されるコイル８６４と、コイル８６４の巻線８７４表面と図１１に図示しない他のコイルとの間に配置されたノイズ抑制シート８７６とを備える。他のコイルは、たとえば図２に示されるように１列に並んだ他の２つのコイルの場合であっても良い。
【００９０】
コイル８６４は、コア８７２と、コア８７２に巻回された巻線８７４とを含む。
好ましくは、電子装置は、金属壁８７８をさらに備える。ノイズ抑制シート８７６は、コイル８６４の巻線表面と他のコイルとの間に配置され、かつその１つのコイル８６４と金属壁８７８との間にも配置され、その１つのコイル８６４のインピーダンスの低下を防止する。
【００９１】
このようにすることにより、コイルのインピーダンスの低下と信号の干渉を防止することができる。
【００９２】
［実施の形態１０］
図１２は、実施の形態１０の電子装置におけるコイルに対するノイズ抑制シートの配置を示す図である。
【００９３】
図１２を参照して、この電子装置は、回路基板９６２と、回路基板９６２上に搭載されるコイル９６４と、コイル９６４の巻線９７４表面と図１２に図示しない他のコイルとの間に配置されたノイズ抑制シート９７６とを備える。他のコイルは、たとえば図２に示されるように１列に並んだ他の２つのコイルの場合であっても良い。
【００９４】
コイル９６４は、コア９７２と、コア９７２に巻回された巻線９７４とを含む。
好ましくは、電子装置は、第１のコイル９６４の他のコイルに対向しない側に近接して配置される金属壁９７８をさらに備える。ノイズ抑制シート９７６は、コイル９６４の巻線表面の金属壁９７８に対向する側の一部分に装着され、コイル９６４のインピーダンスの低下を防止する。
【００９５】
他のコイルがコイル９６４と近接していない場合には、このようにすることによって高価なノイズ抑制シートの使用量を削減することができる。
【００９６】
［実施の形態１１］
以上説明した実施の形態１〜１０では、複数のコイルは、コアの軸が回路基板上に縦置きに配置されていた。すなわち、コイルが巻回されている軸が回路基板に直角方向になっていた。しかし、コイルが巻回されている軸はこの向きには限らない。
【００９７】
実施の形態１１では、複数のコイルは、コアの軸が回路基板上に横置きに配置される。
図１３は、実施の形態１１の電子装置におけるコイルに対するノイズ抑制シートの配置を示す図である。
【００９８】
図１３を参照して、この電子装置は、回路基板１０６２と、回路基板１０６２上に搭載される複数のコイル１０６４，１０６６，１０６８と、複数のコイル１０６４，１０６６，１０６８の少なくともいずれか１つのコイルの巻線１０７４表面と他のコイルとの間に配置されたノイズ抑制シート１０７６とを備える。
【００９９】
好ましくは、複数のコイルは、コアの軸が回路基板上に横置きに配置される。すなわち、コイルが巻回されている軸が回路基板に並行な方向になっている。
【０１００】
コイル１０６４は、コア１０７２と、コア１０７２に巻回された巻線１０７４とを含む。
【０１０１】
好ましくは、複数のコイル１０６４，１０６６，１０６８は、回路基板１０６２上に一列に配置され、ノイズ抑制シート１０７６は、複数のコイル１０６４，１０６６，１０６８の各巻線表面に装着される。
【０１０２】
なお、図１３には、３個のコイルを配置した例を示したが、コイルの個数は３個に限定されず、２個であっても、また３個より多くても良い。
【０１０３】
このように配置した場合においても、実施の形態１と同様、コイルのインピーダンス特性が良好になる結果、コイル間の距離が狭くなった場合においても電子機器における信号干渉が防止される。したがって、機器の小型化に有利である。
【０１０４】
なお、図１３は、図２に示したコイルの配置を縦置きから横置きに変更した場合を示したが、他の図４〜図１３の各々についてもコイルの配置を縦置きから横置きに変更して用いても良い。
【０１０５】
以上、実施の形態１〜１１に示したコイル配置が、たとえば図１の信号切換装置に例示される電子機器に適用される。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０７】
【図１】実施の形態１に係る電子装置の構成を示すブロック図である。
【図２】実施の形態１の電子装置におけるコイルに対するノイズ抑制シートの配置を示す図である。
【図３】ノイズ抑制シートにより、コイルの電磁結合の影響を抑えたインピーダンス特性を示す図である。
【図４】実施の形態２の電子装置におけるコイルに対するノイズ抑制シートの配置を示す図である。
【図５】実施の形態３の電子装置におけるコイルに対するノイズ抑制シートの配置を示す図である。
【図６】実施の形態４の電子装置におけるコイルに対するノイズ抑制シートの配置を示す図である。
【図７】実施の形態５の電子装置におけるコイルに対するノイズ抑制シートの配置を示す図である。
【図８】実施の形態６の電子装置におけるコイルに対するノイズ抑制シートの配置を示す図である。
【図９】実施の形態７の電子装置におけるコイルに対するノイズ抑制シートの配置を示す図である。
【図１０】実施の形態８の電子装置におけるコイルに対するノイズ抑制シートの配置を示す図である。
【図１１】実施の形態９の電子装置におけるコイルに対するノイズ抑制シートの配置を示す図である。
【図１２】実施の形態１０の電子装置におけるコイルに対するノイズ抑制シートの配置を示す図である。
【図１３】実施の形態１１の電子装置におけるコイルに対するノイズ抑制シートの配置を示す図である。
【図１４】回路基板上に複数のコイルが配置されている構造の検討例を示す図である。
【図１５】図１４に示した検討例のコイル電磁結合の影響をうけたコイルのインピーダンス特性を示す図である。
【符号の説明】
【０１０８】
２，１２，２２，３２，３６，４２，４６，６４，６６，６８，１６４，１６６，１６８，２６４，２６６，３６４，３６６，４６４，４６６，５６４，５６６，６６４，６６６，７６４，７６６，８６４，９６４，１０６４，１０６６，１０６８，１５６４，１５６６，１５６８  コイル、４，８，１８，２８，１４，２４，２８，３４，３８，４４，４８  キャパシタ、６，１６，２６  アンプ、６，１６，２６  増幅器、３０  スイッチマトリクスＩＣ、５０  電源ユニット、５２  制御ユニット、５４  制御信号検出部、６２，１６２，２６２，３６２，４６２，５６２，６６２，７６２，８６２，９６２，１０６２  回路基板、７２，１７２，２７２，４７２，４８２，５７２，５８２，６７２，６８２，７７２，７８２，８７２，９７２，１０７２，１５７２  コア、７４，１７４，２７４，４７４，４８４，５７４，５８４，６７４，６８４，７７４，７８４，８７４，９７４，１０７４  巻線、７６，１７６，２８２，２８４，３８１〜３８４，３９１〜３９４，４８６，４７６，５８６，６７６，６８６，７７６，７８６，８７６，９７６，１０７６  ノイズ抑制シート、２８０，３８０，３９０  金属箱、６７８，６８８，７７８，７８８  熱収縮チューブ、８７８，９７８  金属壁、１５６２  基板、１５７４  コイル線材、ＰＬＮＢ１〜ＰＬＮＢ３，ＰＲ１〜ＰＲ４  ポート。
【図１】
2008066392.tif 000003
【図２】
2008066392.tif 000004
【図３】
2008066392.tif 000005
【図４】
2008066392.tif 000006
【図５】
2008066392.tif 000007
【図６】
2008066392.tif 000008
【図７】
2008066392.tif 000009
【図８】
2008066392.tif 000010
【図９】
2008066392.tif 000011
【図１０】
2008066392.tif 000012
【図１１】
2008066392.tif 000013
【図１２】
2008066392.tif 000014
【図１３】
2008066392.tif 000015
【図１４】
2008066392.tif 000016
【図１５】
2008066392.tif 000017